(57)【要約】【課題】管理サーバ、情報管理システム、情報管理方法、およびプログラムを提供する。【解決手段】複数のユーザ機器の機器ＩＤをユーザＩＤと対応付けて記憶する記憶部と、前記複数のユーザ機器のうちのいずれかのユーザ機器からコンテンツ情報が受信されると、前記コンテンツ情報を、前記ユーザ機器の機器ＩＤに対応付けられている前記ユーザＩＤと対応付けて、視聴制限が設定されているか否かおよび前記ユーザ機器に設定されている機器種別に応じた付加情報と共に前記記憶部に登録する登録処理部と、前記複数のユーザ機器の各々による前記ユーザＩＤと対応付けられているコンテンツ情報の表示を前記付加情報に基づいて制御する制御部と、を備える管理サーバ。【選択図】図２
2011170438.tif 000002
【特許請求の範囲】
【請求項１】
複数のユーザ機器の機器ＩＤをユーザＩＤと対応付けて記憶する記憶部と；
前記複数のユーザ機器のうちのいずれかのユーザ機器からコンテンツ情報が受信されると、前記コンテンツ情報を、前記ユーザ機器の機器ＩＤに対応付けられている前記ユーザＩＤと対応付けて、視聴制限が設定されているか否かおよび前記ユーザ機器に設定されている機器種別に応じた付加情報と共に前記記憶部に登録する登録処理部と；
前記複数のユーザ機器の各々による前記ユーザＩＤと対応付けられているコンテンツ情報の表示を前記付加情報に基づいて制御する制御部と；
を備える、管理サーバ。
【請求項２】
前記制御部は、
第１の機器として設定されているユーザ機器から受信された視聴制限が設定されているコンテンツ情報は、前記第１の機器として設定されているユーザ機器に対しては送信され、第２の機器として設定されているユーザ機器に対しては送信されないように制御し、
前記第２の機器として設定されているユーザ機器から受信されたコンテンツ情報、または視聴制限が設定されていないコンテンツ情報は、前記第１の機器として設定されているユーザ機器、および前記第２の機器として設定されているユーザ機器のいずれに対しても送信されるように制御する、請求項１に記載の管理サーバ。
【請求項３】
前記制御部は、他のユーザＩＤとも間接的に対応付けられているユーザ機器に対しては、前記他のユーザＩＤと対応付けられているコンテンツ情報のうちで、前記第２の機器として設定されているユーザ機器から受信されたコンテンツ情報、または視聴制限が設定されていないコンテンツ情報も送信されるように制御する、請求項２に記載の管理サーバ。
【請求項４】
前記登録処理部は、電子マネー情報を格納するＩＣタグを備えるユーザ機器からユーザの年齢情報と共に前記ＩＣタグのタグＩＤが受信されると、前記タグＩＤと前記年齢情報を対応付けて前記記憶部に登録し、
前記管理サーバは、
前記ユーザ機器のタグＩＤが受信されると、前記年齢情報に基づいて前記ユーザ機器のユーザの年齢認証を行う認証部をさらに備える、請求項３に記載の管理サーバ。
【請求項５】
前記認証部は、前記ＩＣタグからの情報読出しに基づくコンテンツデータの課金処理を行う課金サーバからの要求に応じて前記年齢認証を行う、請求項４に記載の管理サーバ。
【請求項６】
複数のユーザ機器と；
複数のユーザ機器の機器ＩＤおよび機器設定情報をユーザＩＤと対応付けて記憶している記憶部、
前記複数のユーザ機器のうちのいずれかのユーザ機器からコンテンツ情報が受信されると、前記コンテンツ情報を、前記ユーザ機器の機器ＩＤに対応付けられている前記ユーザＩＤと対応付けて、視聴制限が設定されているか否か、および前記ユーザ機器の機器設定情報に応じた付加情報と共に前記記憶部に登録する登録処理部、および、
前記複数のユーザ機器の各々による、前記ユーザＩＤと対応付けられているコンテンツ情報の表示を、前記付加情報に基づいて制御する制御部、
を有する管理サーバと；
を備える、情報管理システム。
【請求項７】
複数のユーザ機器の機器ＩＤをユーザＩＤと対応付けて記憶媒体に登録するステップと；
前記複数のユーザ機器のうちのいずれかのユーザ機器からコンテンツ情報が受信されると、前記コンテンツ情報を、前記ユーザ機器の機器ＩＤに対応付けられている前記ユーザＩＤと対応付けて、視聴制限が設定されているか否かおよび前記ユーザ機器に設定されている機器種別に応じた付加情報と共に前記記憶媒体に登録するステップと；
前記複数のユーザ機器の各々による前記ユーザＩＤと対応付けられているコンテンツ情報の表示を前記付加情報に基づいて制御するステップと；
を含む、情報管理方法。
【請求項８】
コンピュータを、
複数のユーザ機器の機器ＩＤをユーザＩＤと対応付けて記憶する記憶部と；
前記複数のユーザ機器のうちのいずれかのユーザ機器からコンテンツ情報が受信されると、前記コンテンツ情報を、前記ユーザ機器の機器ＩＤに対応付けられている前記ユーザＩＤと対応付けて、視聴制限が設定されているか否かおよび前記ユーザ機器に設定されている機器種別に応じた付加情報と共に前記記憶部に登録する登録処理部と；
前記複数のユーザ機器の各々による前記ユーザＩＤと対応付けられているコンテンツ情報の表示を前記付加情報に基づいて制御する制御部と；
として機能させるための、プログラム。
【発明の詳細な説明】
【技術分野】
【０００１】
本発明は、管理サーバ、情報管理システム、情報管理方法、およびプログラムに関する。
【背景技術】
【０００２】
近日、インターネット上でコンテンツ提供サイトが普及している。このコンテンツ提供サイトが今後も増加することにより、コンテンツとユーザの接点も拡散することが予想される。また、ストリーミングコンテンツを利用するためには、ユーザに複数のサイトでのコンテンツ管理を強いることとなる。このような事情から、ネットワーク上に管理サーバを配し、管理サーバがユーザ（あるユーザが有する複数のユーザ機器）とコンテンツの関係を一元的に管理することが望まれる。
【０００３】
ここで、ユーザが有する複数のユーザ機器には、当該ユーザにより専有されるプライベート機器に加え、他ユーザと共用されるパブリック機器も含まれる場合がある。このため、他ユーザがパブリック機器を利用する場合に、ユーザと関連付けられているコンテンツの再生をどのように制限するかが問題となる。
【０００４】
この点に関し、特許文献１には、録画番組の再生制限を実現する録画機器について開示されている。具体的には、この録画機器は、携帯電話からの指示に従って番組を録画した場合、当該携帯電話からの再生指示に従って録画番組を再生し、他の装置から再生指示があった場合には警告表示を行う。
【先行技術文献】
【特許文献】
【０００５】
【特許文献１】特願２００３−２９８９８６号公報
【発明の概要】
【発明が解決しようとする課題】
【０００６】
しかし、上記の再生制限方法では、ユーザが携帯電話から録画指示を行った場合、当該ユーザが有する他のユーザ機器から再生指示を行うことができないという問題があった。
【０００７】
そこで、本発明は、上記問題に鑑みてなされたものであり、本発明の目的とするところは、利便性を向上してユーザのコンテンツに関するプライバシーを保護することが可能な、新規かつ改良された管理サーバ、情報管理システム、情報管理方法、およびプログラムを提供することにある。
【課題を解決するための手段】
【０００８】
上記課題を解決するために、本発明のある観点によれば、複数のユーザ機器の機器ＩＤをユーザＩＤと対応付けて記憶する記憶部と、前記複数のユーザ機器のうちのいずれかのユーザ機器からコンテンツ情報が受信されると、前記コンテンツ情報を、前記ユーザ機器の機器ＩＤに対応付けられている前記ユーザＩＤと対応付けて、視聴制限が設定されているか否かおよび前記ユーザ機器に設定されている機器種別に応じた付加情報と共に前記記憶部に登録する登録処理部と、前記複数のユーザ機器の各々による前記ユーザＩＤと対応付けられているコンテンツ情報の表示を前記付加情報に基づいて制御する制御部と、を備える管理サーバが提供される。
【０００９】
前記制御部は、第１の機器として設定されているユーザ機器から受信された視聴制限が設定されているコンテンツ情報は、前記第１の機器として設定されているユーザ機器に対しては送信され、第２の機器として設定されているユーザ機器に対しては送信されないように制御し、前記第２の機器として設定されているユーザ機器から受信されたコンテンツ情報、または視聴制限が設定されていないコンテンツ情報は、前記第１の機器として設定されているユーザ機器、および前記第２の機器として設定されているユーザ機器のいずれに対しても送信されるように制御してもよい。
【００１０】
前記制御部は、他のユーザＩＤとも間接的に対応付けられているユーザ機器に対しては、前記他のユーザＩＤと対応付けられているコンテンツ情報のうちで、前記第２の機器として設定されているユーザ機器から受信されたコンテンツ情報、または視聴制限が設定されていないコンテンツ情報も送信されるように制御してもよい。
【００１１】
前記登録処理部は、電子マネー情報を格納するＩＣタグを備えるユーザ機器からユーザの年齢情報と共に前記ＩＣタグのタグＩＤが受信されると、前記タグＩＤと前記年齢情報を対応付けて前記記憶部に登録し、前記管理サーバは、前記ユーザ機器のタグＩＤが受信されると、前記年齢情報に基づいて前記ユーザ機器のユーザの年齢認証を行う認証部をさらに備えてもよい。
【００１２】
前記認証部は、前記ＩＣタグからの情報読出しに基づくコンテンツデータの課金処理を行う課金サーバからの要求に応じて前記年齢認証を行なってもよい。
【００１３】
また、上記課題を解決するために、本発明の別の観点によれば、複数のユーザ機器と、複数のユーザ機器の機器ＩＤおよび機器設定情報をユーザＩＤと対応付けて記憶している記憶部、前記複数のユーザ機器のうちのいずれかのユーザ機器からコンテンツ情報が受信されると、前記コンテンツ情報を、前記ユーザ機器の機器ＩＤに対応付けられている前記ユーザＩＤと対応付けて、視聴制限が設定されているか否か、および前記ユーザ機器の機器設定情報に応じた付加情報と共に前記記憶部に登録する登録処理部、および、前記複数のユーザ機器の各々による、前記ユーザＩＤと対応付けられているコンテンツ情報の表示を、前記付加情報に基づいて制御する制御部、を有する管理サーバと、を備える情報管理システムが提供される。
【００１４】
また、上記課題を解決するために、本発明の別の観点によれば、複数のユーザ機器の機器ＩＤをユーザＩＤと対応付けて記憶媒体に登録するステップと、前記複数のユーザ機器のうちのいずれかのユーザ機器からコンテンツ情報が受信されると、前記コンテンツ情報を、前記ユーザ機器の機器ＩＤに対応付けられている前記ユーザＩＤと対応付けて、視聴制限が設定されているか否かおよび前記ユーザ機器に設定されている機器種別に応じた付加情報と共に前記記憶媒体に登録するステップと、前記複数のユーザ機器の各々による前記ユーザＩＤと対応付けられているコンテンツ情報の表示を前記付加情報に基づいて制御するステップと、を含む情報管理方法が提供される。
【００１５】
また、上記課題を解決するために、本発明の別の観点によれば、コンピュータを、複数のユーザ機器の機器ＩＤをユーザＩＤと対応付けて記憶する記憶部と、前記複数のユーザ機器のうちのいずれかのユーザ機器からコンテンツ情報が受信されると、前記コンテンツ情報を、前記ユーザ機器の機器ＩＤに対応付けられている前記ユーザＩＤと対応付けて、視聴制限が設定されているか否かおよび前記ユーザ機器に設定されている機器種別に応じた付加情報と共に前記記憶部に登録する登録処理部と、前記複数のユーザ機器の各々による前記ユーザＩＤと対応付けられているコンテンツ情報の表示を前記付加情報に基づいて制御する制御部と、として機能させるためのプログラムが提供される。
【発明の効果】
【００１６】
以上説明したように本発明によれば、利便性を向上してユーザのコンテンツに関するプライバシーを保護することができる。
【図面の簡単な説明】
【００１７】
【図１】本発明の実施形態による情報管理システムの構成を示した説明図である。
【図２】本実施形態による管理サーバの構成を示した機能ブロック図である。
【図３】本実施形態による携帯端末の構成を示した機能ブロック図である。
【図４】本実施形態による映像処理装置の構成を示した機能ブロック図である。
【図５】管理サーバが複数のユーザ機器の機器ＩＤを対応付けて登録するための処理を示したシーケンス図である。
【図６】ユーザ機器の登録情報の具体例を示した説明図である。
【図７】実店舗において陳列されるコンテンツのパッケージの一例を示した説明図である。
【図８】オンラインページの具体例を示した説明図である。
【図９】管理サーバにコンテンツ情報を登録するためのシーケンスを示した説明図である。
【図１０】プライベート設定を行うか否かの基準の一例を示した説明図である。
【図１１】コンテンツリストの表示に関する処理を示したシーケンス図である。
【図１２】各ユーザ機器が表示可能なコンテンツ情報の範囲を示した説明図である。
【図１３】ユーザ機器を追加登録するための処理例を示したシーケンス図である。
【図１４】ユーザ機器の追加登録後の処理例を示したシーケンス図である。
【図１５】携帯端末から他のユーザ機器にコンテンツの再生を指示するための表示画面の具体例を示した説明図である。
【図１６】キャリアによるアクセス制限を示した説明図である。
【図１７】管理サーバが携帯端末のユーザの年齢情報を登録するための処理を示したシーケンス図である。
【図１８】年齢情報を利用する課金処理を示したシーケンス図である。
【発明を実施するための形態】
【００１８】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１９】
また、本明細書及び図面において、実質的に同一の機能構成を有する複数の構成要素を、同一の符号の後に異なるアルファベットを付して区別する場合もある。例えば、実質的に同一の機能構成を有する複数の構成を、必要に応じて携帯端末２０Ａ、２０Ｂおよび２０Ｃのように区別する。ただし、実質的に同一の機能構成を有する複数の構成要素の各々を特に区別する必要がない場合、同一符号のみを付する。例えば、携帯端末２０Ａ、２０Ｂおよび２０Ｃを特に区別する必要が無い場合には、単に携帯端末２０と称する。
【００２０】
また、以下に示す項目順序に従って当該「発明を実施するための形態」を説明する。
１．情報管理システムの構成
２．管理サーバの構成
３．携帯端末の構成
４．映像処理装置の構成
５．情報管理システムの動作
５−１．ユーザ機器の登録
５−２．コンテンツ情報の登録
５−３．コンテンツリストの表示
５−４．ユーザ機器の追加
５−５．再生機器の指定
６．ユーザの年齢認証
７．まとめ
【００２１】
＜１．情報管理システムの構成＞
まず、図１を参照し、本発明の実施形態による情報管理システム１について概略的に説明する。
【００２２】
図１は、本発明の実施形態による情報管理システム１の構成を示した説明図である。図１に示したように、本発明の実施形態による情報管理システム１は、管理サーバ１０と、ネットワーク１２と、携帯端末２０Ａ〜２０Ｃと、映像処置装置３０と、表示装置３２と、コンテンツ提供サーバ４０と、を備える。
【００２３】
管理サーバ１０、携帯端末２０Ａ〜２０Ｃおよび映像処理装置３０からなるユーザ機器群、およびコンテンツ提供サーバ４０は、ネットワーク１２を介して接続される。ネットワーク１２は、ネットワーク１２に接続されている装置から送信される情報の有線、または無線の伝送路である。例えば、ネットワーク１２は、インターネット、電話回線網、衛星通信網などの公衆回線網や、Ｅｔｈｅｒｎｅｔ（登録商標）を含む各種のＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）などを含んでもよい。また、ネットワーク１２は、ＩＰ−ＶＰＮ（Ｉｎｔｅｒｎｅｔ  Ｐｒｏｔｏｃｏｌ−Ｖｉｒｔｕａｌ  Ｐｒｉｖａｔｅ  Ｎｅｔｗｏｒｋ）などの専用回線網を含んでもよい。
【００２４】
図１に示したように、ユーザＡは、携帯端末２０Ａを所有し、携帯端末２０Ａおよび映像処理装置３０を利用する。また、ユーザＢは、携帯端末２０Ｂを所有し、携帯端末２０Ｂおよび映像処理装置３０を利用する。同様に、ユーザＣは、携帯端末２０Ｃを所有し、携帯端末２０Ｃおよび映像処理装置３０を利用する。すなわち、図１に示した例では、各携帯端末２０はいずれかのユーザにより専有されるプライベート機器であり、映像処理装置３０は例えば家庭内のリビングに配されるパブリック機器である。
【００２５】
これら携帯端末２０や映像処理装置３０などのユーザ機器は、ネットワーク通信機能、非接触通信機能、およびコンテンツ再生機能などを有する。例えば、携帯端末２０は、非接触通信機能によりコンテンツデータのコンテンツ情報を取得し、ネットワーク通信機能によりコンテンツ情報を管理サーバ１０に送信することができる。また、映像処理装置３０は、コンテンツ提供サーバ４０から取得されるコンテンツデータを再生し、表示装置３２にコンテンツデータを表示させることができる。
【００２６】
なお、図１においては、ユーザ機器の一例として携帯端末２０および映像処理装置３０などを示しているが、ユーザ機器は上記の例に限定されない。例えば、ユーザ機器は、ＰＣ（Ｐｅｒｓｏｎａｌ  Ｃｏｍｐｕｔｅｒ）、家庭用ゲーム機器、家電機器などの情報処理装置であってもよい。また、ユーザ機器は、ＰＨＳ（Ｐｅｒｓｏｎａｌ  Ｈａｎｄｙｐｈｏｎｅ  Ｓｙｓｔｅｍ）、携帯用音楽再生装置、携帯用映像処理装置、携帯用ゲーム機器などの情報処理装置であってもよい。
【００２７】
コンテンツ提供サーバ４０は、コンテンツ（コンテンツデータ）を記憶しており、ユーザ機器からの要求に応じてコンテンツデータを送信する。なお、コンテンツデータとしては、音楽、講演およびラジオ番組などの音楽データや、映画、テレビジョン番組、ビデオプログラム、写真、文書、絵画および図表などの映像データや、ゲームおよびソフトウェアなどが挙げられる。
【００２８】
管理サーバ１０は、１または２以上のユーザ機器をユーザごとに対応付けて管理する。例えば、管理サーバ１０は、ユーザＡのユーザＩＤと、ユーザＡが利用する携帯端末２０の機器ＩＤ（携帯端末２０Ａの端末ＩＤおよび携帯端末２０Ａに内蔵されるＩＣタグのタグＩＤ）と、映像処理装置３０の装置ＩＤと、を対応付けて登録する。また、管理サーバ１０は、詳細については後述するが、携帯端末２０から受信されたコンテンツ情報をユーザＩＤと対応付けて登録したり、映像処理装置３０に対してコンテンツリストを送信したり、ユーザの年齢認証を行うことができる。
【００２９】
＜２．管理サーバの構成＞
以上、図１を参照して情報処理システム１の構成を説明した。続いて、図２を参照し、管理サーバ１０の構成を説明する。
【００３０】
図２は、本実施形態による管理サーバ１０の構成を示した機能ブロック図である。図２に示したように、管理サーバ１０は、ＲＯＭ１０２、ＲＡＭ１０４、バス１０５、記憶部１０６、ネットワーク通信部１０８、登録処理部１１２、認証部１１６および中央制御部１２０を備える。管理サーバ１０の各構成は、バス１０５を介して接続されている。
【００３１】
ＲＯＭ（Ｒｅａｄ  Ｏｎｌｙ  Ｍｅｍｏｒｙ）１０２は、管理サーバ１０の各構成を実現するＣＰＵ（Ｃｅｎｔｒａｌ  Ｐｒｏｃｅｓｓｉｎｇ  Ｕｎｉｔ）が使用するプログラムや演算パラメータ等を記憶する。また、ＲＡＭ（Ｒａｎｄｏｍ  Ａｃｃｅｓｓ  Ｍｅｍｏｒｙ）１０４は、ＣＰＵが使用するプログラムや、その実行において適宜変化するパラメータ等を一時記憶する。
【００３２】
記憶部１０６は、登録処理部１１２により多様な情報が登録される記憶媒体である。例えば、記憶部１０６には、ユーザＩＤ、機器ＩＤ、コンテンツ情報、およびユーザ年齢情報などが登録される。
【００３３】
ネットワーク通信部１０８は、ネットワーク１２とのインターフェースであり、ネットワーク１２を介してユーザ機器やコンテンツ提供サーバ４０と情報を送受信する送信部および受信部として機能する。
【００３４】
登録処理部１１２は、ユーザのユーザＩＤと、当該ユーザが利用するユーザ機器の機器ＩＤとを対応付けて記憶部１０６に登録する。このユーザＩＤおよび機器ＩＤの登録については「５−１．ユーザ機器の登録」において詳細に説明する。また、登録処理部１１２は、ユーザ機器からコンテンツ情報が受信されると、コンテンツ情報を、ユーザ機器に対応するユーザＩＤと対応付けて記憶部１０６に登録する。このコンテンツ情報の登録については、「５−２．コンテンツ情報の登録」において詳細に説明する。また、登録処理部１１２は、携帯端末２０に内蔵されるＩＣタグのタグＩＤと、携帯端末２０のユーザの年齢情報を対応付けて記憶部１０６に登録する。この年齢情報の登録および利用方法については、「６．ユーザの年齢認証」において詳細に説明する。
【００３５】
認証部１１６は、コンテンツ提供サーバ１０から認証要求としてＩＣタグのタグＩＤが受信されると、ＩＣタグのユーザの年齢認証を行う。そして、ユーザが「アダルト」であるか否かを示す認証結果がネットワーク通信部１０８からコンテンツ提供サーバ１０に送信される。
【００３６】
中央制御部１２０（制御部）は、管理サーバ１０の動作全般を制御する。例えば、中央制御部１２０は、ユーザ機器からのコンテンツリストの送信依頼に応じ、ユーザ機器の機器ＩＤと直接、または間接的に対応付けられているユーザＩＤを検索する。すなわち、中央制御部は、ユーザ機器の機器ＩＤと直接的に対応付けられているユーザＩＤに加え、ユーザ機器の機器ＩＤに他のユーザ機器の機器ＩＤを介して間接的に対応付けられているユーザＩＤを検索する。そして、中央制御部１２０は、検索された１または２以上のユーザＩＤに対応付けられているコンテンツ情報を記憶部１０６から抽出し、抽出したコンテンツ情報からなるコンテンツリストをネットワーク通信部１０８から送信させる。
【００３７】
ただし、中央制御部１２０は、他ユーザのユーザＩＤと対応付けられているコンテンツ情報からは、プライベート設定がＯＦＦであるコンテンツ情報のみを抽出する。かかる構成により、ユーザ機器において他ユーザのプライベート設定がＯＮであるコンテンツ情報が表示されることを防止することができる。
【００３８】
また、中央制御部１２０は、ユーザ機器がパブリック機器として設定されている場合、当該ユーザ機器のユーザと対応付けられているコンテンツ情報のうち、プライベート設定がＯＦＦであるコンテンツ情報のみを抽出する。かかる構成により、当該ユーザ機器においてプライベート設定がＯＮであるコンテンツ情報が表示されることを防止できるので、各ユーザのプライバシーを保護することができる。
【００３９】
＜３．携帯端末の構成＞
続いて、図３を参照し、本実施形態による携帯端末２０の構成を説明する。
【００４０】
図３は、本実施形態による携帯端末２０の構成を示した機能ブロック図である。図３に示したように、携帯端末２０は、ＲＯＭ２０２と、ＲＡＭ２０４と、バス２０５と、ネットワーク通信部２０８と、ユーザ入力部２１２と、表示生成部２１６と、中央制御部２２０と、ＩＣタグ２２２と、Ｒ／Ｗ２２４と、ＱＲコード読取り部２２６と、を備える。
【００４１】
ＲＯＭ２０２は、携帯端末２０の各構成を実現するＣＰＵが使用するプログラムや演算パラメータ等を記憶する。また、ＲＡＭ２０４は、携帯端末２０のＣＰＵが使用するプログラムや、その実行において適宜変化するパラメータ等を一時記憶する。
【００４２】
ネットワーク通信部２０８は、ネットワーク１２とのインターフェースであり、ネットワーク１２を介して管理サーバ１０と情報を送受信する送信部および受信部として機能する。
【００４３】
ＩＣタグ２２２は、認証情報および電子マネー情報など多様な情報を格納することが可能である。ＩＣタグ２２２への情報の書き込み、およびＩＣタグ２２２からの情報の読み出しは外部のＲ／Ｗにより行われる。なお、このＩＣタグ２２２には、ＩＣタグ２２２を識別するタグＩＤが格納されている。
【００４４】
Ｒ／Ｗ２２４は、外部のＩＣタグへの情報の書き込み、および外部のＩＣタグからの情報の読み出しなどを行う。本実施形態においては、Ｒ／Ｗ２２４は、例えば店舗内に配されたコンテンツのパッケージに装着されたＩＣタグからコンテンツ情報を読み出すために用いられる。
【００４５】
ＱＲコード読取り部２２６は、画像として表示されたＱＲコード（二次元バーコード）を撮像し、撮像した画像を処理することによりＱＲコードに埋め込まれた情報を読み取る。
【００４６】
ユーザ入力部２１２は、ユーザが情報や指示などを入力するための構成である。このユーザ入力部２６６は、キーボード、タッチパネル、またはボタンなどであってもよい。
【００４７】
表示生成部２１６は、ユーザ操作画面や、ネットワーク通信部２０８により受信される情報の表示画面など多様な表示画面を生成する。表示部２２８は、表示生成部２１６により生成された表示画面を表示する。
【００４８】
中央制御部２２０は、携帯端末２０の動作全般を制御する。例えば、中央制御部２２０は、ネットワーク通信部２０８による通信を制御したり、Ｒ／Ｗ２２４やＱＲコード読取り部２２６を起動させたり、表示生成部２１６に表示画面の生成を指示したりする。
【００４９】
＜４．映像処理装置の構成＞
次に、図４を参照し、本実施形態による映像処理装置３０の構成を説明する。
【００５０】
図４は、本実施形態による映像処理装置３０の構成を示した機能ブロック図である。図４に示したように、映像処理装置３０は、ＲＯＭ３０２、ＲＡＭ３０４、バス３０５、記憶部３０６、ネットワーク通信部３０８、放送受信部３１０、ユーザ入力部３１２、映像・音声入出力部３１４、表示生成部３１６、記録処理部３１８および中央制御部３２０を備える。
【００５１】
ＲＯＭ３０２は、映像処理装置３０の各構成を実現するＣＰＵが使用するプログラムや演算パラメータ等を記憶する。また、ＲＡＭ３０４は、映像処理装置３０のＣＰＵが使用するプログラムや、その実行において適宜変化するパラメータ等を一時記憶する。
【００５２】
記憶部３０６は、放送受信部３１０により受信された番組データやＣＭデータなどのコンテンツデータ、およびネットワーク通信部３０８を介して取得されるコンテンツデータなどを記憶する。この記憶部３０６は、不揮発性メモリ、磁気ディスク、光ディスク、およびＭＯ（Ｍａｇｎｅｔｏ  Ｏｐｔｉｃａｌ）ディスクなどの記憶媒体であってもよい。なお、不揮発性メモリとしては、例えば、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＥＰＲＯＭ（Ｅｒａｓａｂｌｅ  Ｐｒｏｇｒａｍｍａｂｌｅ  ＲＯＭ）があげられる。また、磁気ディスクとしては、ハードディスクおよび円盤型磁性体ディスクなどがあげられる。また、光ディスクとしては、ＣＤ（Ｃｏｍｐａｃｔ  Ｄｉｓｃ）、ＤＶＤ−Ｒ（Ｄｉｇｉｔａｌ  Ｖｅｒｓａｔｉｌｅ  Ｄｉｓｃ  Ｒｅｃｏｒｄａｂｌｅ）およびＢＤ（Ｂｌｕ−Ｒａｙ  Ｄｉｓｃ（登録商標））などがあげられる。
【００５３】
ネットワーク通信部３０８は、ネットワーク１２とのインターフェースであり、ネットワーク１２を介して管理サーバ１０と情報を送受信する送信部および受信部として機能する。放送受信部３１０は、放送局から送信された番組データやＣＭデータなどのコンテンツデータ、および付随するメタ情報を受信する。
【００５４】
ユーザ入力部３１２は、ユーザが情報や指示などを入力するための構成である。例えば、ユーザは、ユーザ入力部３１２を介してコンテンツ選択、および録画予約などを行うことができる。なお、このユーザ入力部３１２は、例えば、マウス、キーボード、タッチパネル、ボタン、マイクロフォン、スイッチ、またはリモートコントローラの受光部であってもよい。
【００５５】
映像・音声入出力部３１４は、外部装置と映像・音声を入出力するための構成である。例えば、映像・音声入出力部３１４は、表示生成部３１６により生成されたコンテンツリストや、表示生成部３１６における再生により生成されたコンテンツの再生画面などを表示装置３２へ出力する。なお、映像処理装置３０による表示という表現は、映像・音声入出力部３１４から表示画面を他装置に出力することにより他装置に表示画面を表示させる技術内容を含むものとする。
【００５６】
表示生成部３１６は、中央制御部３２０による制御に基づいてコンテンツを再生し、コンテンツの再生画面を生成する。また、表示生成部３１６は、中央制御部３２０による制御に基づいてメニュー画面やコンテンツリストなどの表示画面を生成する。
【００５７】
記録処理部３１８は、中央制御部３２０による制御に基づき、放送受信部３１０により受信された番組データや、ネットワーク通信部３０８により受信されたコンテンツデータなどを記憶部３０６に記録する。
【００５８】
中央制御部３２０は、映像処理装置３０の動作全般を制御する。例えば、中央制御部３２０は、ユーザによりコンテンツリストを介してコンテンツが選択されると、コンテンツ提供サーバ４０にコンテンツデータの送信を要求する。また、中央制御部３２０は、ネットワーク通信部３０８による通信を制御したり、表示生成部３１６へ表示画面の生成やコンテンツの再生などを指示する。
【００５９】
＜５．情報管理システムの動作＞
以上、本実施形態による情報管理システム１を構成する管理サーバ１０、携帯端末２０、および映像処理装置３０の構成を説明した。続いて、本実施形態による情報管理システム１における各動作を順次に説明する。
【００６０】
（５−１．ユーザ機器の登録）
図５は、管理サーバ１０が複数のユーザ機器の機器ＩＤを対応付けて登録するための処理を示したシーケンス図である。図５に示したように、まず、映像処理装置３０が管理サーバ１０にＩＤ生成要求を送信すると（Ｓ４０２）、管理サーバ１０は、映像処理装置３０に装置ＩＤ（図５に示した例では、装置ＩＤ：ＸＸ）を割当て、装置ＩＤ：ＸＸを映像処理装置３０に送信する（Ｓ４０４）。
【００６１】
そして、映像処理装置３０の表示生成部３１６が、映像処理装置３０の装置ＩＤ：ＸＸおよび管理サーバ１０のＵＲＬが埋め込まれたＱＲコードを生成し、表示装置３２がＱＲコードを表示する（Ｓ４０６）。
【００６２】
一方、携帯端末２０ＡはＱＲコード読取り部２２６を起動し（Ｓ４０８）、ＱＲコード読取り部２２６が、表示装置３２に表示されたＱＲコードから、映像処理装置３０の装置ＩＤ：ＸＸおよび管理サーバ１０のＵＲＬを読み取る（Ｓ４１０）。その後、携帯端末２０Ａは、映像処理装置３０の装置ＩＤ：ＸＸおよび携帯端末２０の端末ＩＤ：Ｍ００２を、ネットワーク通信部２０８から管理サーバ１０へ送信する（Ｓ４１２）。
【００６３】
ここで、映像処理装置３０は複数ユーザにより共有されるパブリック機器であり、携帯端末２０ＡはユーザＡにより専有されるプライベート機器である。このため、携帯端末２０Ａは、携帯端末２０Ａの端末ＩＤ：Ｍ００２をプライベート機器の機器ＩＤとして送信し、映像処理装置３０の装置ＩＤ：ＸＸをパブリック機器の機器ＩＤとして送信する。なお、各ユーザ機器をプライベート機器またはパブリック機器のいずれとして扱うかは、機器のハードウェアタイプによって事前に決定されていてもよいし、ユーザによって指定されてもよい。
【００６４】
そして、管理サーバ１０の登録処理部１１２は、携帯端末２０Ａから受信した装置ＩＤ：ＸＸおよび端末ＩＤ：Ｍ００２を、ユーザＡのユーザＩＤと対付けて記憶部１０６に登録する（Ｓ４１４）。より詳細には、登録処理部１１２は、携帯端末２０Ａの端末ＩＤ：Ｍ００２を、プライベート機器を示す機器設定情報と共に登録し、映像処理装置３０の装置ＩＤ：ＸＸを、パブリック機器を示す機器設定情報と共に登録する。なお、ユーザＩＤは、登録処理部１１２により自動生成されるものであってもよいし、ユーザＡにより指定されるものであってもよい。
【００６５】
続いて、管理サーバ１０がタグＩＤの登録用アプリを携帯端末２０Ａに送信すると（Ｓ４１６）、携帯端末２０Ａは、登録用アプリに基づいてＩＣタグ２２２のタグＩＤ：ＦＦＦを読み出す（Ｓ４１８）。そして、携帯端末２０Ａは、読み出したタグＩＤ：ＦＦＦをプライベート機器の機器ＩＤとして端末ＩＤ：Ｍ００２と共に管理サーバ１０へ送信する（Ｓ４２２）。
【００６６】
管理サーバ１０の登録処理部１１２は、携帯端末２０ＡからタグＩＤ：ＦＦＦおよび端末ＩＤ：Ｍ００２が受信されると、タグＩＤ：ＦＦＦを、端末ＩＤ：Ｍ００２に対応付けられているユーザＩＤと対応付けて、プライベート機器を示す機器設定情報と共に記憶部１０６に登録する（Ｓ４２２）。
【００６７】
以上の処理をユーザＡ〜ユーザＣの各々に関して行うことにより、管理サーバ１０は、図６に示す情報を記憶部１０６に登録することができる。
【００６８】
図６は、ユーザ機器の登録情報の具体例を示した説明図である。図６に示したように、各ユーザのユーザＩＤには複数の機器ＩＤが対応付けられ、各機器ＩＤには、プライベート機器またはパブリック機器を示す機器設定情報が対応付けられる。また、ユーザＡ〜ユーザＣにより共有される映像処理装置３０の装置ＩＤ：ＸＸは、ユーザＡのユーザＩＤ：ＳＳＳ、ユーザＢのユーザＩＤ：ＴＴＴ、およびユーザＣのユーザＩＤ：ＵＵＵのいずれとも対応付けられる。
【００６９】
なお、図５に示したシーケンスは機器ＩＤを登録するための処理の一例に過ぎず、機器ＩＤの登録方法はかかる例に限定されない。また、上記と同様の処理により、より多数のユーザ機器の機器ＩＤをユーザＩＤと対応付けて登録することも可能である。
【００７０】
（５−２．コンテンツ情報の登録）
次に、管理サーバ１０がコンテンツ情報をユーザＩＤと対応付けて記憶部１０６に登録するための処理を説明する。当該処理に際しては、まず、ユーザが携帯端末２０でコンテンツ情報を取得する。携帯端末２０によるコンテンツ情報の取得形態は、実店舗における取得と、オンライン上の店舗における取得とに大別される。以下、実店舗における取得、およびオンライン上の店舗における取得について説明する。
【００７１】
（実店舗における取得）
現状のレンタルビデオ店においては、陳列棚にコンテンツのパッケージが陳列されており、ユーザは、このパッケージに基づいてコンテンツを選択し、レジにて選択したコンテンツの会計を行う。そして、ユーザは、会計を行なったコンテンツが記録された記録媒体（例えば、光ディスク）を期限付きで取得し、当該記録媒体を自宅に持ち帰り、自宅にてコンテンツを再生して視聴する。
【００７２】
しかし、結局のところ、ユーザは自宅でコンテンツを視聴できればよいわけで、記録媒体を物理的に自宅に持ち帰るという過程は必須ではない。また、ユーザによっては、レジにて対人式で会計を行うことに抵抗を有することが想定される。
【００７３】
そこで、本実施形態においては、実店舗でコンテンツＩＤなどのコンテンツ情報をユーザに提供する。これにより、ユーザが、コンテンツ情報に基づいてコンテンツ提供サーバ４０からネットワーク１２を介してコンテンツを取得することが可能となる。
【００７４】
ここで、実店舗におけるコンテンツ情報の提供は、例えば、以下に図７を参照して説明するように、非接触通信により実現されてもよい。
【００７５】
図７は、実店舗において陳列されるコンテンツのパッケージ６０の一例を示した説明図である。コンテンツのパッケージ６０には、ＩＣタグまたはＩＣカードが装着されており、ＩＣタグまたはＩＣカードの装着位置を示す位置表示６２が設けられている。また、このＩＣタグまたはＩＣカードにはコンテンツ情報が格納されている。
【００７６】
したがって、ユーザは、Ｒ／Ｗ２２４が搭載された携帯電話２０をコンテンツのパッケージ６０上の位置表示６２に近接させることにより、ＩＣタグまたはＩＣカードから非接触通信によりコンテンツ情報を取得することができる。なお、コンテンツ情報は、コンテンツのコンテンツＩＤ、企業ＩＤ、店舗ＩＤ、コンテンツタイトル、サムネイル、および所在情報などを含んでもよい。
【００７７】
または、コンテンツのパッケージ６０には、ＩＣタグまたはＩＣカードでなく、コンテンツ情報が画像化されたＱＲコードが設けられていてもよい。この場合、携帯電話２０は、コンテンツのパッケージ６０上のＱＲコードを読み取ることによりコンテンツ情報を取得することができる。
【００７８】
なお、上記ではコンテンツ情報をコンテンツのパッケージ６０に実装する例を説明したが、本実施形態はかかる例に限定されない。例えば、コンテンツを紹介するコンテンツごとのブースを設置し、当該ブース内にコンテンツ情報の記録媒体（ＩＣタグ、ＩＣカード、リーダライタなど）を設けてもよい。
【００７９】
（オンライン上の店舗における取得）
以上、地理的に配置された実店舗でコンテンツ情報を提供する例を説明したが、オンライン上の店舗でコンテンツ情報を提供することも可能である。例えば、コンテンツ提供サーバ４０は、図８に示すようなオンラインページを用意し、ユーザは、携帯電話２０やＰＣなどのユーザ機器から当該オンラインページにアクセスし、当該オンラインページ上でコンテンツ情報を取得してもよい。
【００８０】
図８は、オンラインページ７０の具体例を示した説明図である。図８に示したように、オンラインページ７０は、コンテンツごとのタイトル、サムネイル７２、およびレンタルボタン７４などの表示を含む。
【００８１】
ユーザ機器であるＰＣがこのオンラインページ７０を表示している場合、レンタルボタン７４が選択されると、ＰＣは、選択されたレンタルボタン７４に対応するコンテンツ情報を非接触通信により送信するための準備をする。したがって、ユーザは、ＰＣのＲ／Ｗに携帯端末２０のＩＣタグ２２２を近接することにより、コンテンツ情報を取得することができる。
【００８２】
または、このオンラインページ７０が表示されている携帯端末２０においてレンタルボタン７４が選択されると、コンテンツ提供サーバ４０は、ネットワーク１２を介して、選択されたレンタルボタン７４に対応するコンテンツ情報を携帯端末２０に送信してもよい。
【００８３】
（登録処理のシーケンス）
以下、上述した実店舗におけるコンテンツ情報の取得段階を含む管理サーバ１０へのコンテンツ情報の登録処理の流れを説明する。
【００８４】
図９は、管理サーバ１０にコンテンツ情報を登録するためのシーケンスを示した説明図である。図９に示したように、ユーザＡは、コンテンツ情報を提供する実店舗に入店し、所望のコンテンツのパッケージ６０を見つけると、携帯端末２０ＡのＲ／Ｆ２２４を起動する（Ｓ４５０）。
【００８５】
そして、ユーザＡは、携帯端末２０Ａをコンテンツのパッケージ６０に近接し、パッケージ６０に装着されているＩＣタグからコンテンツ情報（コンテンツＩＤ：Ｃ００１、コンテンツ種別：視聴制限有り）を読み出す。なお、「視聴制限有り」は、所定年齢未満のユーザによるコンテンツの視聴が認められていないことを示すものであってもよい。
【００８６】
続いて、携帯端末２０Ａは、読み出したコンテンツ情報（コンテンツＩＤ：Ｃ００１、コンテンツ種別：視聴制限有り）と共にＩＣタグ２２２のタグＩＤ：ＦＦＦを管理サーバ１０に送信する（Ｓ４５４）。なお、携帯端末２０Ａは、Ｓ４５４においてタグＩＤ：ＦＦＦでなく、携帯端末２０Ａの端末ＩＤ：Ｍ００２を送信してもよい。また、ユーザＡは、コンテンツ種別が視聴制限無しである場合、意図的にコンテンツ種別を視聴制限有りに変更してもよい。
【００８７】
管理サーバ１０の登録処理部１１２は、携帯端末２０Ａから受信したタグＩＤ：ＦＦＦと対応付けられているユーザＩＤ：ＳＳＳを検索し、携帯端末２０Ａから受信したコンテンツ情報を、検索したユーザＩＤ：ＳＳＳと対応付けて記憶部１０６に登録する（Ｓ４５６）。
【００８８】
ここで、登録処理部１１２は、コンテンツ情報の送信元の機器設定情報、およびコンテンツ情報に視聴制限が設定されているか否かに応じ、コンテンツ情報に対するプライベート設定を行い、プライベート設定のＯＮ／ＯＦＦを示す付加情報を記憶部１０６に登録する。例えば、登録処理部１１２は、図１０に示す基準に従ってプライベート設定を行う。
【００８９】
図１０は、プライベート設定を行うか否かの基準の一例を示した説明図である。図１０に示したように、登録処理部１１２は、プライベート機器（第１の機器）として設定されているユーザ機器から視聴制限のあるコンテンツ情報が受信された場合、このコンテンツ情報のプライベート設定をＯＮにする。
【００９０】
プライベート設定をＯＮにされたコンテンツ情報は、プライベート機器として設定されているユーザ機器による利用のみが認められ、パブリック機器として設定されているユーザ機器による利用は認められない。すなわち、不特定のユーザにより利用されるパブリック機器では、プライベート設定がＯＮであるコンテンツ情報の表示が禁止されるので、各ユーザのコンテンツ情報に関するプライバシーを保護することができる。
【００９１】
一方、登録処理部１１２は、パブリック機器として設定されているユーザ機器から受信されたコンテンツ情報、または視聴制限のないコンテンツ情報のプライベート設定をＯＦＦにする。プライベート設定がＯＦＦであるコンテンツ情報は、プライベート機器として設定されているユーザ機器およびパブリック機器として設定されているユーザ機器の双方による利用が認められる。したがって、ユーザは、プライベート設定がＯＦＦであるコンテンツ情報を、当該コンテンツ情報を取得したユーザ機器に依存せず、いずれのユーザ機器においても閲覧できるので、便利である。
【００９２】
また、パブリック機器として設定されているユーザ機器においてユーザ認証（例えば、ユーザＩＤやパスワードを用いた認証）を行うことにより、当該ユーザ機器を一時的にプライベート機器として扱うことも可能である。このため、登録処理部１１２は、ユーザ認証が行われたユーザ機器から受信された視聴制限のあるコンテンツ情報のプライベート設定をＯＮにしてもよい。一方、登録処理部１１２は、ユーザ認証が行われたユーザ機器から受信された視聴制限の無いコンテンツ情報のプライベート設定をＯＦＦにしてもよい。
【００９３】
上記の基準を図９に示した例に適用すると、携帯端末２０Ａはプライベート機器として設定されており、コンテンツ情報に視聴制限があるので、登録処理部１１２は、携帯端末２０Ａから受信されたコンテンツ情報のプライベート設定をＯＮにする。
【００９４】
なお、登録処理部１１２は、携帯端末２０Ａから受信したコンテンツ情報に、コンテンツタイトル、サムネイル、およびコンテンツ所在情報などが含まれていない場合、これら情報を取得して記憶部１０６に登録してもよい。例えば、登録処理部１１２は、コンテンツ提供サーバ４０にアクセスし、コンテンツＩＤに対応するコンテンツのタイトル、サムネイル、およびその他の属性情報を取得し、これらをコンテンツ情報として追加してもよい。
【００９５】
（５−３．コンテンツリストの表示）
図１１は、コンテンツリストの表示に関する処理を示したシーケンス図である。図１１に示したように、管理サーバ１０は、ユーザＩＤ：ＳＳＳに新たなコンテンツ情報が対応付けられると、ユーザＩＤ：ＳＳＳと対応付けられている映像処理装置３０にリスト更新通知を送信する（Ｓ５０４）。そして、映像処理装置３０は、装置ＩＤ：ＸＸと共にリスト送信依頼を管理サーバ１０に送信する（Ｓ５０８）。
【００９６】
すると、管理サーバ１０の中央制御部１２０は、受信した映像処理装置３０装置ＩＤ：ＸＸに直接または間接的に対応付けられているユーザＩＤを検索する。図１１に示した例では、中央制御部１２０は、映像処理装置３０装置ＩＤ：ＸＸに直接対応付けられているユーザＩＤ：ＳＳＳ、ユーザＩＤ：ＴＴＴ、およびユーザＩＤ：ＵＵＵを検索する。なお、装置ＩＤ：ＸＸに間接的に対応付けられているユーザＩＤは存在しないので検索されない。
【００９７】
ここで、映像処理装置３０の装置ＩＤ：ＸＸにはパブリック機器を示す機器設定情報が対応付けられている。このため、中央制御部１２０は、検索されたユーザＩＤ：ＳＳＳ、ユーザＩＤ：ＴＴＴ、およびユーザＩＤ：ＵＵＵの各々に対応付けられているコンテンツ情報のうちで、プライバシー設定がＯＦＦであるパブリックなコンテンツ情報のみを抽出する（Ｓ５１２）。そして、管理サーバ１０は、中央制御部１２０により抽出されたパブリックなコンテンツ情報からなるコンテンツリストを映像処理装置３０に送信する（Ｓ５１６）。
【００９８】
映像処理装置３０は、管理サーバ１０からコンテンツリストを受信すると、コンテンツリストの表示画面を生成し、表示装置３２にコンテンツリストを表示させる（Ｓ５２０）。その後、コンテンツリストからユーザによりコンテンツが選択されると（Ｓ５２４）、映像処理装置３０は、選択されたコンテンツのダウンロードをコンテンツ提供サーバ４０に要求し（Ｓ５２８）、コンテンツ提供サーバ４０からコンテンツをダウンロードする（Ｓ５３２）。
【００９９】
以上説明したように、本発明の実施形態においては、ユーザ機器の機器ＩＤが対応付けられているユーザＩＤ、および、ユーザ機器がプライベート機器として設定されているか否かなどによって、ユーザ機器が表示可能なコンテンツ情報が異なる。以下、図１２を参照し、各ユーザ機器が表示可能なコンテンツ情報の範囲を具体的に説明する。
【０１００】
図１２は、各ユーザ機器が表示可能なコンテンツ情報の範囲を示した説明図である。図１２においては、各携帯端末２０の下部に、各携帯端末２０により取得され、各携帯端末２０に対応するユーザＩＤと対応付けて管理サーバ１０に登録されたコンテンツ情報を示している。例えば、携帯端末２０Ａの下部には、携帯端末２０Ａにより取得され、携帯端末２０Ａに対応するユーザＩＤ：ＳＳＳと対応付けて管理サーバ１０に登録されたコンテンツ情報を示している。また、プライベート設定がＯＮであるプライベートなコンテンツ情報は、色を付すことによりプライベート設定がＯＦＦであるパブリックなコンテンツ情報と区別している。
【０１０１】
ここで、映像処理装置３０の装置ＩＤ：ＸＸは、管理サーバ１０においてユーザＩＤ：ＳＳＳ、ユーザＩＤ：ＴＴＴ、およびユーザＩＤ：ＵＵＵのいずれとも直接的に対応付けられている。また、映像処理装置３０はパブリック機器として設定されている。このため、映像処理装置３０は、図１２に示したように、ユーザＩＤ：ＳＳＳ、ユーザＩＤ：ＴＴＴ、およびユーザＩＤ：ＵＵＵの各々と対応付けられているコンテンツ情報のうちで、プライベート設定がＯＦＦであるパブリックなコンテンツ情報のみを表示することができる。
【０１０２】
一方、携帯端末２０Ａの端末ＩＤ：Ｍ００２は、ユーザＩＤ：ＳＳＳと直接的に対応付けられている。また、携帯端末２０Ａはプライベート機器として設定されている。このため、携帯端末２０Ａは、図１２に示したように、ユーザＩＤ：ＳＳＳに対応付けられている、プライベート設定がＯＦＦであるパブリックなコンテンツ情報、およびプライベート設定がＯＮであるプライベートなコンテンツ情報の双方を表示することができる。
【０１０３】
さらに、携帯端末２０Ａの端末ＩＤ：Ｍ００２は、映像処理装置３０の装置ＩＤ：ＸＸと対応付けられているので、他ユーザのユーザＩＤ：ＴＴＴおよびユーザＩＤ：ＵＵＵとも間接的に対応付けられている。このため、携帯端末２０Ａは、図１２に示したように、ユーザＩＤ：ＴＴＴおよびユーザＩＤ：ＵＵＵの各々に対応付けられているコンテンツ情報のうちで、プライベート設定がＯＦＦであるパブリックなコンテンツ情報も表示することが可能である。
【０１０４】
なお、上記では、各ユーザ機器によるコンテンツ情報の表示制限を、管理サーバ１０が各ユーザ機器に送信するコンテンツ情報を抽出することにより実現する例を説明したが、本発明の実施形態はかかる例に限定されない。例えば、管理サーバ１０は、コンテンツ情報をプライベート設定のＯＮ／ＯＦＦを示す付加情報と共にユーザ機器に送信し、ユーザ機器が、いずれのコンテンツ情報を表示するかを付加情報に基づいて選択してもよい。
【０１０５】
（５−４．ユーザ機器の追加）
上記では、各ユーザのユーザＩＤに２つのユーザ機器が対応付けて登録された場合の処理を説明したが、以下に図１３を参照して説明するように、ユーザＩＤに対応付けるユーザ機器を追加することも可能である。
【０１０６】
図１３は、ユーザ機器を追加登録するための処理例を示したシーケンス図である。まず、映像処理装置３１が管理サーバ１０にＩＤ生成要求を送信すると（Ｓ６０２）、管理サーバ１０は、映像処理装置３１に装置ＩＤ（図１３に示した例では、装置ＩＤ：ＸＸ２）を割当て、装置ＩＤ：ＸＸ２を映像処理装置３１に送信する（Ｓ６０４）。
【０１０７】
そして、映像処理装置３１の表示生成部３１６が、映像処理装置３１の装置ＩＤ：ＸＸ２および管理サーバ１０のＵＲＬが埋め込まれたＱＲコードを生成する（Ｓ６０６）。
【０１０８】
一方、携帯端末２０ＡはＱＲコード読取り部２２６を起動し（Ｓ６０８）、ＱＲコード読取り部２２６が、映像処理装置３１により生成されたＱＲコードから、映像処理装置３１の装置ＩＤ：ＸＸ２および管理サーバ１０のＵＲＬを読み取る（Ｓ６１０）。その後、携帯端末２０Ａは、映像処理装置３１の装置ＩＤ：ＸＸ２および携帯端末２０の端末ＩＤ：Ｍ００２を、ネットワーク通信部２０８から管理サーバ１０へ送信する（Ｓ６１２）。ここで、携帯端末２０Ａは、映像処理装置３１の装置ＩＤ：ＸＸ２をパブリック機器の機器ＩＤとして送信するものとする。
【０１０９】
すると、管理サーバ１０の登録処理部１１２は、携帯端末２０Ａから受信した端末ＩＤ：Ｍ００２に対応するユーザＩＤ：ＳＳＳを検索し、携帯端末２０Ａから受信した装置ＩＤ：ＸＸ２をユーザＩＤ：ＳＳＳと対応付けて記憶部１０６に追加登録する（Ｓ６１４）。このとき、登録処理部１１２は、映像処理装置３１の装置ＩＤ：ＸＸ２を、暫定的にパブリック機器を示す機器設定情報と共に登録する。
【０１１０】
続いて、管理サーバ１０は、映像処理装置３１をプライベート機器として設定するか否かを確認するための情報を携帯端末２０Ａに送信する（Ｓ６１６）。そして、ユーザにより映像処理装置３１をプライベート機器として設定することが選択されると、携帯端末２０Ａは、プライベート機器を示す機器設定情報を管理サーバ１０に送信する（Ｓ６１８）。その後、管理サーバ１０は、装置ＩＤ：ＸＸ２の機器設定情報を、プライベート機器を示す機器設定情報に変更する（Ｓ６２２）。
【０１１１】
図１４は、ユーザ機器の追加登録後の処理例を示したシーケンス図である。図１４に示したように、映像処理装置３１は、装置ＩＤ：ＸＸ２と共にリスト送信依頼を管理サーバ１０に送信する（Ｓ６３２）。そして、映像処理装置３１は、ユーザＩＤ：ＳＳＳと対応付けられているコンテンツ情報からなるコンテンツリストを管理サーバ１０から受信すると（Ｓ６３４）、コンテンツリストを表示画面に表示させる（Ｓ６３６）。ここで、映像処理装置３１は、プライベート機器として設定されているので、プライベート設定がＯＮであるコンテンツ情報、およびプライベート設定がＯＦＦであるコンテンツ情報の双方を表示することができる。
【０１１２】
また、映像処理装置３０が、装置ＩＤ：ＸＸと共にリスト送信依頼を管理サーバ１０に送信すると（Ｓ６４２）、管理サーバ１０は、ユーザＩＤ：ＳＳＳと対応付けられているコンテンツ情報からなるコンテンツリストを映像処理装置３０に送信する（Ｓ６４４）。そして、映像処理装置３０は、コンテンツリストを表示装置３２に表示させる（Ｓ６４６）。ここで、映像処理装置３０は、パブリック機器として設定されているので、プライベート設定がＯＦＦであるコンテンツ情報は表示できるが、プライベート設定がＯＮであるコンテンツ情報は表示しない。
【０１１３】
また、携帯端末２０Ａが、端末ＩＤ：Ｍ００２と共にリスト送信依頼を管理サーバ１０に送信すると（Ｓ６５２）、管理サーバ１０は、ユーザＩＤ：ＳＳＳと対応付けられているコンテンツ情報からなるコンテンツリストを携帯端末２０Ａに送信する（Ｓ６５４）。そして、携帯端末２０Ａは、コンテンツリストを表示する（Ｓ６５６）。ここで、映像処理装置３０は、プライベート機器として設定されているので、プライベート設定がＯＮであるコンテンツ情報、およびプライベート設定がＯＦＦであるコンテンツ情報の双方を表示することができる。
【０１１４】
（５−５．再生機器の指定）
上述したように、管理サーバ１０には、複数のユーザ機器の機器ＩＤとユーザＩＤが対応付けて登録されている。このため、管理サーバ１０は、登録情報を用い、あるユーザ機器において行われたユーザ操作に基づく指示を、他のユーザ機器に伝達することが可能である。かかる構成によれば、ユーザは、例えば、携帯端末２０Ａを操作することにより、映像処理装置３０にコンテンツの再生を指示することができる。
【０１１５】
図１５は、携帯端末２０Ａから他のユーザ機器にコンテンツの再生を指示するための表示画面の具体例を示した説明図である。なお、図１５においては、パブリック機器として登録されている映像処理装置３０がリビングに配置されており、プライベート機器として設定されている映像処理装置３１が自室に配置されており、管理サーバ１０にこれらの配置位置が登録されているものとする。
【０１１６】
まず、携帯端末２０Ａは、管理サーバ１０から受信されるコンテンツリスト５０−１を表示部２２８に表示する。このコンテンツリスト５０−１には、プライベート設定がＯＦＦであるパブリックな「ホリーバッター」、および、プライベート設定がＯＮであるプライベートな「スパイダー」が含まれている。
【０１１７】
そして、コンテンツリスト５０−１において再生ボタン５２Ａまたは５２Ｂが選択されると、携帯端末２０Ａは、再生機器の選択画面５０−２を表示する。具体的には、携帯端末２０Ａは、「ホリーバッター」の再生ボタン５２Ａが選択された場合には「ホリーバッター」の再生機器の選択画面５０−２Ａを表示し、「スパイダー」の再生ボタン５２Ｂが選択された場合には「スパイダー」の再生機器の選択画面５０−２Ｂを表示する。
【０１１８】
その後、再生機器の選択画面５０−２Ａにおいて「リビングで再生」が選択されると、リビングに配置されている映像処理装置３０による「ホリーバッター」の再生が開始される。例えば、再生機器の選択画面５０−２Ａにおいて「リビングで再生」が選択されると、携帯端末２０Ａが、「ホリーバッター」のコンテンツＩＤ、およびユーザによる再生機器の選択情報を管理サーバ１０に送信し、管理サーバ１０が「ホリーバッター」のコンテンツＩＤを映像処理装置３０に送信し、映像処理装置３０がコンテンツＩＤに基づいてコンテンツ提供サーバ４０から「ホリーバッター」を取得することにより、「ホリーバッター」の再生が開始される。同様に、再生機器の選択画面５０−２Ａにおいて「自室で再生」が選択されると、自室に配置されている映像処理装置３１による「ホリーバッター」の再生が開始される。
【０１１９】
また、再生機器の選択画面５０−２Ｂにおいて「自室で再生」が選択されると、自室に配置されている映像処理装置３１による「スパイダー」の再生が開始される。
【０１２０】
一方、「スパイダー」はプライベート設定がＯＮであるプライベートなコンテンツであるのに対し、リビングに配置されている映像処理装置３０はパブリック機器として設定されている。このため、「スパイダー」の再生機器の選択画面５０−２Ｂにおいて「リビングで再生」が選択された場合、携帯端末２０Ａは、スパイダーのリビングにおける再生の警告画面５０−３を表示する。かかる構成により、誤操作によりプライベートなコンテンツがパブリック機器において再生されてしまうことを防止できる。
【０１２１】
なお、図１５に示したように、プライベートなコンテンツの再生機器の選択画面５０−２においては、プライベート機器の選択項目を上方に配置し、パブリック機器の選択項目を下方に配置してもよい。また、プライベートなコンテンツの再生機器の選択画面５０−２には、パブリック機器の選択項目が表示されないようにしてもよい。また、警告画面５０−３において一度「Ｙｅｓ」が選択された場合、携帯端末２０Ａは、以降の所定期間内は警告画面５０−３を表示しなくてもよい。
【０１２２】
＜６．ユーザの年齢認証＞
上記では、コンテンツデータの課金処理については特に言及していないが、課金処理が行われるフェーズ、および課金処理の方法は限定されない。例えば、課金処理は、実店舗において携帯端末２０がコンテンツ情報を非接触通信により読み出すタイミングや、図８を参照して説明したオンラインページ７０から携帯端末２０がコンテンツ情報を非接触通信により取得するタイミングで行ってもよい。また、コンテンツ提供サーバ４０は、コンテンツデータのダウンロードに際して課金処理を行ってもよい。
【０１２３】
ここで、未成年者であるユーザへ視聴制限が設定されているコンテンツデータ／コンテンツ情報が提供されることを防止するための構成が重要である。そこで、携帯端末２０のユーザの年齢情報を管理サーバ１０においてＩＣタグ２２２のタグＩＤと対応付けて管理しておき、ＩＣタグ２２２に格納されている電子マネー情報に基づく課金処理時に、ユーザの年齢認証を併せて行うことを提案する。以下、ユーザの年齢情報の取得方法、および年齢情報を利用する課金処理の具体例を説明する。
【０１２４】
（年齢情報の取得方法）
携帯端末２０は、ネットワーク１２上のＷｅｂサイトにアクセスし、多様な情報を取得することができる。しかし、アクセスのための年齢制限が設定されているＷｅｂサイトも存在する。このため、携帯端末２０のキャリアは、年齢制限が設定されているＷｅｂサイトへのアクセス要求を制限するための機能を備える場合が多い。
【０１２５】
例えば、携帯端末２０のキャリアは、携帯端末２０のユーザの年齢情報を管理しており、携帯端末２０からあるＷｅｂサイトへのアクセス要求を受信すると、当該Ｗｅｂサイトの年齢制限の有無、および携帯端末２０のユーザの年齢情報を確認する。そして、携帯端末２０のキャリアは、当該Ｗｅｂサイトに年齢制限が設定されていない場合や、携帯端末２０のユーザが大人である場合などに、当該Ｗｅｂサイトへのアクセスを許可する。
【０１２６】
したがって、図１６に示したように、携帯端末２０Ｃのユーザが１５歳である場合、携帯端末２０Ｃは、通常のＷｅｂサイトにはアクセスできるものの、年齢制限が設定されているＷｅｂサイトにはアクセスすることができない。一方、携帯端末２０Ａのユーザが５０歳である場合、携帯端末２０Ａは、通常のＷｅｂサイトおよび年齢制限が設定されているＷｅｂサイトのいずれにもアクセスできる。
【０１２７】
そこで、本発明の実施形態においては、以下に図１７を参照して説明するように、上述の実情を活用することで管理サーバ１０が携帯端末２０の年齢情報を取得する。
【０１２８】
図１７は、管理サーバ１０が携帯端末２０のユーザの年齢情報を登録するための処理を示したシーケンス図である。図１７に示したように、キャリアは、サイトＡへのアクセス要求を携帯端末２０Ａの端末ＩＤと共に携帯端末２０Ａから受信すると（Ｓ７０４）、サイトＡの年齢制限、および携帯端末２０Ａのユーザの年齢を確認する（Ｓ７０８）。ここで、サイトＡは年齢制限の無い通常サイトであるので、キャリアは携帯端末２０ＡからサイトＡへのアクセスを許可する（Ｓ７１２）。
【０１２９】
そして、携帯端末２０Ａは、サイトＡから年齢情報の登録用アプリをダウンロードすると（Ｓ７１６）、この登録用アプリに基づいてＩＣタグ２２２のタグＩＤを読み出す（Ｓ７２０）。さらに、携帯端末２０Ａは、タグＩＤおよび端末ＩＤを管理サーバ１０に送信し、管理サーバ１０は、携帯端末２０Ａから受信したタグＩＤおよび端末ＩＤを登録する（Ｓ７２８）。ここで、サイトＡにはどの年齢のユーザでもアクセスできるので、サイトＡにアクセスできたか否かでは、携帯端末２０Ａのユーザが大人であるか否かを判断することはできない。このため、この時点では、携帯端末２０Ａのユーザが大人であることを示すアダルトＦｌａｇは登録されない。
【０１３０】
また、キャリアは、サイトＢへのアクセス要求を携帯端末２０Ａの端末ＩＤと共に携帯端末２０Ａから受信すると（Ｓ７３４）、サイトＢの年齢制限、および携帯端末２０Ａのユーザの年齢を確認する（Ｓ７３８）。ここで、サイトＢには年齢制限が設定されているが、携帯端末２０Ａのユーザが５０歳であるので、キャリアは携帯端末２０ＡからサイトＢへのアクセスを許可する（Ｓ７４２）。
【０１３１】
そして、携帯端末２０Ａは、サイトＢから年齢情報の登録用アプリをダウンロードすると（Ｓ７４６）、この登録用アプリに基づいてＩＣタグ２２２のタグＩＤを読み出す（Ｓ７５０）。ここで、サイトＢにアクセスしてサイトＢから登録用アプリをダウンロードできるユーザは、例えば２０歳以上のユーザに限定される。そこで、本発明の実施形態においては、年齢制限のあるサイトＢなどからダウンロードされる登録用アプリに、タグＩＤにアダルトＦｌａｇを設定する機能を実装する。
【０１３２】
このため、携帯端末２０Ａは、登録用アプリに基づき、ＩＣタグ２２２のタグＩＤをアダルトＦｌａｇと共に管理サーバ１０に送信する（Ｓ７５４）。そして、管理サーバ１０の登録処理部１１２が、携帯端末２０Ａから受信したタグＩＤにアダルトＦｌａｇを設定する（Ｓ７５８）。
【０１３３】
なお、未成年のユーザは、年齢制限が設定されているＷｅｂサイトにアクセスできないので、現時点では当該ユーザに関してアダルトＦｌａｇは設定されない。しかし、このユーザも、成年後には年齢制限が設定されているＷｅｂサイトにアクセスできるようになるので、成年後にアダルトＦｌａｇが設定される。
【０１３４】
（年齢情報を利用する課金処理）
図１８は、上述の方法で取得した年齢情報を利用する課金処理を示したシーケンス図である。なお、図１８においては、図８を参照して説明したオンラインページ７０から携帯端末２０がコンテンツ情報を非接触通信により取得する際に課金処理を行う場合のシーケンスを示している。
【０１３５】
まず、ユーザは、ＰＣ２２に表示されたオンラインページ７０において所望のコンテンツを選択する（Ｓ８００）。そして、ユーザが携帯端末２０のＩＣタグ２２２をＰＣ２２に近接させることにより、ＩＣタグ２２２のタグＩＤが非接触通信によりＰＣ２２に読み出される（Ｓ８０２）。続いて、ＰＣ２２が、ユーザにより選択されたコンテンツのコンテンツ情報の取得要求を、携帯端末２０から読み出したタグＩＤと共にコンテンツ提供サーバ４０に送信する（Ｓ８０４）。
【０１３６】
その後、コンテンツ提供サーバ４０は、ＰＣ２２からの要求にかかるコンテンツに年齢制限が設定されているか否かを確認し、年齢制限が設定されていない場合、課金処理に移行する（Ｓ８１８）。一方、年齢制限が設定されている場合、コンテンツ提供サーバ４０は、ＰＣ２２から受信したタグＩＤを管理サーバ１０に送信する（Ｓ８０８）。
【０１３７】
すると、管理サーバ１０の認証部１１６が、コンテンツ提供サーバ４０から受信したタグＩＤにアダルトＦｌａｇが設定されているか否かを確認し（Ｓ８１０）、確認結果をコンテンツ提供サーバ４０に送信する（Ｓ８１２）。そして、コンテンツ提供サーバ４０は、管理サーバ１０からの確認結果がアダルトでない場合（Ｓ８１４）、ＰＣ２２からの要求を拒否する（Ｓ８１６）。
【０１３８】
一方、コンテンツ提供サーバ４０は、管理サーバ１０からの確認結果がアダルトである場合、課金処理を行い（Ｓ８１８）、コンテンツ情報をＰＣ２２に送信する（Ｓ８２０）。
【０１３９】
以上説明したように、本発明の実施形態によれば、携帯端末２０のＩＣタグ２２２を利用する課金処理と併せて、携帯端末２０のユーザの年齢認証を行うことが可能である。かかる構成により、未成年であるユーザによるコンテンツ情報の取得を、年齢制限の設定の有無に応じて適切に制限することができる。
【０１４０】
なお、上述した年齢情報の取得方法や、課金処理と併せて年齢認証を行う方法は、多様なユースケースに適用することが可能である。例えば、上述した方法は、自動販売機におけるお酒や煙草などの課金処理時にも適用できる。具体的には、ユーザが課金処理のためにＩＣタグ２２２を自動販売機のＲ／Ｗに近接させた際に、管理サーバ１０がＩＣタグ２２２のタグＩＤに基づいてユーザの年齢認証を行ってもよい。現状では、自動販売機において煙草を購入する場合に年齢確認用の専用カードが必要であるが、上述の方法は、ユーザがＩＣタグ２２２を自動販売機にかざすだけで課金処理および年齢認証の双方が行われるので、利便性を改善することができる。
【０１４１】
＜７．まとめ＞
以上説明したように、本発明の実施形態による管理サーバ１０は、プライベート機器として設定されているユーザ機器から視聴制限のあるコンテンツ情報が受信された場合、このコンテンツ情報のプライベート設定をＯＮにする。プライベート設定をＯＮにされたコンテンツ情報は、プライベート機器として設定されているユーザ機器による利用のみが認められ、パブリック機器として設定されているユーザ機器による利用は認められない。すなわち、不特定のユーザにより利用されるパブリック機器では、プライベート設定がＯＮであるコンテンツ情報の表示が禁止されるので、各ユーザのコンテンツ情報に関するプライバシーを保護することができる。
【０１４２】
また、本発明の実施形態による管理サーバ１０は、パブリック機器として設定されているユーザ機器から受信されたコンテンツ情報、または視聴制限のないコンテンツ情報のプライベート設定をＯＦＦにする。プライベート設定がＯＦＦであるコンテンツ情報は、プライベート機器として設定されているユーザ機器およびパブリック機器として設定されているユーザ機器の双方による利用が認められる。したがって、ユーザは、プライベート設定がＯＦＦであるコンテンツ情報を、当該コンテンツ情報を取得したユーザ機器に依存せず、いずれのユーザ機器においても閲覧できるので、便利である。
【０１４３】
なお、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【０１４４】
例えば、本明細書の情報管理システム１の処理における各ステップは、必ずしもシーケンス図として記載された順序に沿って時系列に処理する必要はない。例えば、情報管理システム１の処理における各ステップは、シーケンス図として記載した順序と異なる順序で処理されても、並列的に処理されてもよい。
【０１４５】
また、管理サーバ１０およびユーザ機器に内蔵されるＣＰＵ、ＲＯＭおよびＲＡＭなどのハードウェアを、上述した管理サーバ１０およびユーザ機器の各構成と同等の機能を発揮させるためのコンピュータプログラムも作成可能である。また、該コンピュータプログラムを記憶させた記憶媒体も提供される。
【符号の説明】
【０１４６】
１０      管理サーバ
１２      ネットワーク
２０、２０Ａ、２０Ｂ、２０Ｃ  携帯端末
３０、３１    映像処理装置
３２      表示装置
４０      コンテンツ提供サーバ
１０６、３０６    記憶部
１０８、２０８、３０８  ネットワーク通信部
１１２    登録処理部
１１６    認証部
１２０、２２０、３２０    中央制御部
２１２、３１２  ユーザ入力部
２１６、３１６  表示生成部
２２２    ＩＣタグ
２２４    Ｒ／Ｗ
２２６    ＱＲコード読取り部
２２８    表示部
【図１】
2011170438.tif 000003
【図２】
2011170438.tif 000004
【図３】
2011170438.tif 000005
【図４】
2011170438.tif 000006
【図５】
2011170438.tif 000007
【図６】
2011170438.tif 000008
【図７】
2011170438.tif 000009
【図８】
2011170438.tif 000010
【図９】
2011170438.tif 000011
【図１０】
2011170438.tif 000012
【図１１】
2011170438.tif 000013
【図１２】
2011170438.tif 000014
【図１３】
2011170438.tif 000015
【図１４】
2011170438.tif 000016
【図１５】
2011170438.tif 000017
【図１６】
2011170438.tif 000018
【図１７】
2011170438.tif 000019
【図１８】
2011170438.tif 000020